(57)【要約】【課題】  簡易な構成でありながらＸ線を広い範囲で多様に遮蔽可能なＸ線撮影装置のコリメータ機構およびＸ線撮影装置を提供する。【解決手段】  コリメータ部は、第１コリメータ機構と第２コリメータ機構９２とを備える。第２コリメータ機構９２は、一対の片側絞り用遮蔽リーフ１０５、１０６を備える。片側絞り用遮蔽リーフ１０５と片側絞り用遮蔽リーフ１０６は、単一のモータ６４の駆動とバネの張力により、Ｘ線管から照射されるＸ線の軸線に対して近接あるいは離隔するよう、互いに独立に往復移動する。【選択図】        図５
2014083143.tif 000002
【特許請求の範囲】
【請求項１】
Ｘ線管から照射されるＸ線の照射野を規制するＸ線撮影装置のコリメータ機構において、
案内部材により一方向に移動できるよう支持されるとともに、その移動方向と平行な長孔が形成された一対の片側絞り用遮蔽リーフと、
前記一対の片側絞り用遮蔽リーフに形成された長孔に各々係合した状態で当該長孔内を移動可能な一対の係合部が付設された移動部材と、
前記移動部材を前記長孔と平行に往復移動させる駆動手段と、
前記一対の片側絞り用遮蔽リーフを互いに離隔する方向に付勢する付勢部材と、
を備え、
前記移動部材に付設された一対の係合部の距離が、前記一対の片側絞り用遮蔽リーフが最も離隔した位置に配置されたときの前記一対の片側絞り用遮蔽リーフに形成された長孔間の距離に相当する距離であることを特徴とするＸ線撮影装置のコリメータ機構。
【請求項２】
請求項１に記載のＸ線撮影装置のコリメータ機構において、
前記一対の片側絞り用遮蔽リーフに形成された長孔の長手方向の長さは、対の片側絞り用遮蔽リーフの移動距離以上であることを特徴とするＸ線撮影装置のコリメータ機構。
【請求項３】
Ｘ線管から照射され被検者を通過したＸ線をＸ線検出機で検出するＸ線撮影装置において、
前記Ｘ線管から前記Ｘ線検出機に至るＸ線の軸線を中心として、互いに同期して逆方向に移動する一対の遮蔽リーフを、互いに直交する方向に二組備え、矩形状のＸ線の照射野を形成する第１コリメータ機構と、
前記第１コリメータ機構により形成される矩形状のＸ線の照射野のうちの一辺を、さらに内側に絞るための第２コリメータ機構とを備え、
前記第２コリメータ機構は、
案内部材により一方向に移動できるよう支持されるとともに、その移動方向と平行な長孔が形成された一対の片側絞り用遮蔽リーフと、
前記一対の片側絞り用遮蔽リーフに形成された長孔に各々係合した状態で当該長孔内を移動可能な一対の係合部が付設された移動部材と、
前記移動部材を前記長孔と平行に往復移動させる駆動手段と、
前記一対の片側絞り用遮蔽リーフを互いに離隔する方向に付勢する付勢部材と、
を備え、
前記移動部材に付設された一対の係合部の距離が、前記一対の片側絞り用遮蔽リーフが最も離隔した位置に配置されたときの前記一対の片側絞り用遮蔽リーフに形成された長孔間の距離に相当する距離であることを特徴とするＸ線撮影装置。
【請求項４】
請求項３に記載のＸ線撮影装置において、
前記一対の片側絞り用遮蔽リーフに形成された長孔の長手方向の長さは、対の片側絞り用遮蔽リーフの移動距離以上であることを特徴とするＸ線撮影装置。
【発明の詳細な説明】
【技術分野】
【０００１】
この発明は、Ｘ線管から照射されるＸ線の照射野を規制するＸ線撮影装置のコリメータ機構およびこのコリメータ機構を利用したＸ線撮影装置に関する。
【背景技術】
【０００２】
Ｘ線撮影装置においては、Ｘ線管から照射されるＸ線の照射野を規制するためにコリメータ機構が使用されている。このコリメータ機構は、一般的に、Ｘ線管からＸ線検出機に至るＸ線の軸線を中心として、互いに同期して逆方向に移動する一対の遮蔽リーフを、互いに直交する方向に二組備え、これら二組の遮蔽リーフを移動させることにより、矩形状のＸ線の照射野を形成する構成を有する。
【０００３】
図８は、このような一般的なコリメータ機構に使用される遮蔽リーフ１０１、１０２、１０３、１０４の配置を示す斜視図である。
【０００４】
このコリメータ機構は、Ｘ線管１０から照射されるＸ線の照射野Ｅを規制するためのものであり、４枚の遮蔽リーフ１０１、１０２、１０３、１０４を備える。遮蔽リーフ１０１と遮蔽リーフ１０２とは、単一のモータの駆動により、Ｘ線管１０から照射されるＸ線の軸線を中心として、互いに近接または離隔するように、同期して逆方向に移動する。同様に、遮蔽リーフ１０３と遮蔽リーフ１０４とは、単一のモータの駆動により、Ｘ線管１０から照射されるＸ線の軸線を中心として、互いに近接または離隔するように、同期して逆方向に移動する。
【０００５】
このような構成を有するコリメータ機構は、一対の遮蔽リーフがＸ線管１０から照射されるＸ線の軸線を中心として均等にＸ線を遮蔽する。一方、このようなＸ線撮影装置において、不要なＸ線の被曝を防止するため、あるいは、Ｘ線撮影領域の端部のハレーションを防止するために、矩形状のＸ線の照射野Ｅのうちの一辺のみを絞ることが必要となる場合がある。
【０００６】
特許文献１には、Ｘ線コンピュータ断層撮影（ＣＴ）装置のコリメータ装置において、Ｘ線をＸ線管から照射されるＸ線の軸線に対して偏らせて照射することが可能な構成が開示されている。
【先行技術文献】
【特許文献】
【０００７】
【特許文献１】特開２００９−５２６号公報
【発明の開示】
【発明が解決しようとする課題】
【０００８】
Ｘ線の照射領域を、矩形状のＸ線の照射野のうちの一辺のみを絞ることにより、Ｘ線の軸線に対して偏らせるためには、図８に示す４枚の遮蔽リーフ１０１、１０２、１０３、１０４を、４個のモータにより個別に移動させればよい。しかしながら、このような構成を採用した場合には、通常の倍となる４個のモータが必要となり、装置の製造コストが上昇するばかりではなく、装置も大型化し、また、その制御も複雑となるという問題が発生する。
【０００９】
このため、図８に示すコリメータ機構とは別に、矩形状の開口部を設けた遮蔽リーフを使用することが考えられる。図９は、このような構成を有するコリメータ部１１の概要図であり、図１０は、図９に示すコリメータ部１１に使用される遮蔽リーフ１０９の概要図である。
【００１０】
このコリメータ部１１は、図８に示す４枚の遮蔽リーフ１０１、１０２、１０３、１０４とともに、図１０に示すように、その中央に開口部１０８が形成された遮蔽リーフ１０９を使用する構成を有する。図９に示すように、Ｘ線管１０から照射されたＸ線は、図８に示す４枚の遮蔽リーフ１０１、１０２、１０３、１０４により遮蔽されてＸ線の照射野を形成し、さらに、図１０に示す遮蔽リーフ１０９をモータにより一方向に往復移動させて、４枚の遮蔽リーフ１０１、１０２、１０３、１０４により形成される矩形状のＸ線照射野Ｅのうちの一辺のみを絞ることにより、Ｘ線をＸ線の軸線に対して偏らせて照射することが可能となる。
【００１１】
しかしながら、このような構成を採用した場合には、図９からも明らかなように、遮蔽リーフ１０９のストロークを長くするためには、遮蔽リーフ１０９のサイズを大きくする必要が生じ、装置全体が大型化する。一方、装置をコンパクトにするためには、遮蔽リーフのストロークを短くせざるを得ず、遮蔽範囲が小さくなってしまうという問題が生ずる。
【００１２】
この発明は上記課題を解決するためになされたものであり、簡易な構成でありながらＸ線を広い範囲で遮蔽可能なＸ線撮影装置のコリメータ機構およびＸ線撮影装置を提供することを目的とする。
【課題を解決するための手段】
【００１３】
請求項１に記載の発明は、Ｘ線管から照射されるＸ線の照射野を規制するＸ線撮影装置のコリメータ機構において、案内部材により一方向に移動できるよう支持されるとともに、その移動方向と平行な長孔が形成された一対の片側絞り用遮蔽リーフと、前記一対の片側絞り用遮蔽リーフに形成された長孔に各々係合した状態で当該長孔内を移動可能な一対の係合部が付設された移動部材と、前記移動部材を前記長孔と平行に往復移動させる駆動手段と、前記一対の片側絞り用遮蔽リーフを互いに離隔する方向に付勢する付勢部材と、を備え、前記移動部材に付設された一対の係合部の距離が、前記一対の片側絞り用遮蔽リーフが最も離隔した位置に配置されたときの前記一対の片側絞り用遮蔽リーフに形成された長孔間の距離に相当する距離であることを特徴とする。
【００１４】
請求項２に記載の発明は、請求項１に記載の発明において、前記一対の片側絞り用遮蔽リーフに形成された長孔の長手方向の長さは、対の片側絞り用遮蔽リーフの移動距離以上であることを特徴とする。
【００１５】
請求項３に記載の発明は、Ｘ線管から照射され被検者を通過したＸ線をＸ線検出機で検出するＸ線撮影装置において、前記Ｘ線管から前記Ｘ線検出機に至るＸ線の軸線を中心として、互いに同期して逆方向に移動する一対の遮蔽リーフを、互いに直交する方向に二組備え、矩形状のＸ線の照射野を形成する第１コリメータ機構と、前記第１コリメータ機構により形成される矩形状のＸ線の照射野のうちの一辺を、さらに内側に絞るための第２コリメータ機構とを備え、前記第２コリメータ機構は、案内部材により一方向に移動できるよう支持されるとともに、その移動方向と平行な長孔が形成された一対の片側絞り用遮蔽リーフと、前記一対の片側絞り用遮蔽リーフに形成された長孔に各々係合した状態で当該長孔内を移動可能な一対の係合部が付設された移動部材と、前記移動部材を前記長孔と平行に往復移動させる駆動手段と、前記一対の片側絞り用遮蔽リーフを互いに離隔する方向に付勢する付勢部材と、を備え、前記移動部材に付設された一対の係合部の距離が、前記一対の片側絞り用遮蔽リーフが最も離隔した位置に配置されたときの前記一対の片側絞り用遮蔽リーフに形成された長孔間の距離に相当する距離であることを特徴とする。
【００１６】
請求項４に記載の発明は、請求項３に記載の発明において、前記一対の片側絞り用遮蔽リーフに形成された長孔の長手方向の長さは、対の片側絞り用遮蔽リーフの移動距離以上であることを特徴とする。
【発明の効果】
【００１７】
請求項１および請求項３に記載の発明によれば、モータなどの駆動手段を１個だけ使用して、一対の片側絞り用遮蔽リーフを互いに独立に往復移動させることが可能となる。このため、Ｘ線の照射領域を、矩形状のＸ線の照射野のうちの一辺のみを絞ることにより、Ｘ線の軸線に対して偏らせる場合において、簡易な構成でありながら、Ｘ線を広い範囲で遮蔽することが可能となる。
【００１８】
請求項２および請求項４に記載の発明によれば、一方の片側絞り用遮蔽リーフの往復移動ストロークの全域において、対の片側絞り用遮蔽リーフが移動することを防止することが可能となる。
【図面の簡単な説明】
【００１９】
【図１】この発明を適用するＸ線撮影装置の概要図であり、天板１３が臥位位置に配置されたときの正面図である。
【図２】この発明を適用するＸ線撮影装置の概要図であり、天板１３が立位位置に配置されたときの正面図である。
【図３】この発明を適用するＸ線撮影装置の概要図であり、天板１３が立位位置に配置されたときの右側面図である。
【図４】第１コリメータ機構９１および第２コリメータ機構９２を有するコリメータ部１１の概要図である。
【図５】第２コリメータ機構９２の斜視図である。
【図６】第２コリメータ機構９２の斜視図である。
【図７】第２コリメータ機構９２から、一対の片側絞り用遮蔽リーフ１０５、１０６を移動させる機構の要部を取り出した斜視図である。
【図８】第１コリメータ機構９１に使用される遮蔽リーフ１０１、１０２、１０３、１０４の配置を示す斜視図である。
【図９】コリメータ部１１の概要図である。
【図１０】遮蔽リーフ１０９の概要図である。
【発明を実施するための形態】
【００２０】
以下、この発明の実施の形態を図面に基づいて説明する。図１乃至図３は、この発明を適用するＸ線撮影装置の概要図である。なお、図１は、天板１３が臥位位置に配置されたときの正面図である。また、図２は、天板１３が立位位置に配置されたときの正面図である。さらに、図３は、天板１３が立位位置に配置されたときの右側面図である。
【００２１】
このＸ線撮影装置は、Ｘ線透視撮影台と呼称されるものであり、天板１３と、この天板１３に連結されたスライドアーム１５と、このスライドアーム１５の先端に配設されたＸ線管１０と、この発明の特徴部分であるコリメータ部１１と、天板１３に対してＸ線管１０と逆側に配設されたイメージインテンシファイア（Ｉ．Ｉ．）やフラットパネルディテクタ（ＦＰＤ）などのＸ線検出機１２とを備える。スライドアーム１５には、必要に応じ被検者の診断部位を圧迫するための圧迫筒機構２０が配設されている。また、天板１３には、踏み台３０と、握り棒４０とが固定されている。
【００２２】
これらの天板１３、スライドアーム１５およびＸ線管１０などは、図示しないモータを内蔵した回転機構１６の作用により、図１に示す、天板１３が水平方向となる臥位位置と、図２および図３に示す、天板１３が鉛直方向となる立位位置との間を回動可能となっている。また、回転機構１６自体は、ベースプレート１８上に立設された主支柱１７に対して昇降可能となっている。
【００２３】
天板１３が臥位位置にあるときには、臥位状態の被検者に対して透視あるいは撮影が行われる。このときには、被検者は天板１３上に載置される。また、天板１３が立位位置にあるときには、立位状態の被検者に対して透視あるいは撮影が行われる。また、天板１３の角度を変更しながら透視あるいは撮影を行うときには、被検者は天板１３に固定された踏み台３０上に起立する。そして、被検者を天板１３と踏み台３０に乗せたままの状態で、天板１３の角度が変更される。この際、被検者は、天板１３上に配設された一対の握り棒４０を把持して、自分の身体を支える。
【００２４】
次に、この発明の特徴部分であるコリメータ部１１の構成について説明する。図４は、第１コリメータ機構９１および第２コリメータ機構９２を有するコリメータ部１１の概要図である。
【００２５】
コリメータ部１１に使用される第１コリメータ機構９１は、図８に示す構成を有する。すなわち、この第１コリメータ機構９１は、図８に示すように、４枚の遮蔽リーフ１０１、１０２、１０３、１０４を備える（図４においては遮蔽リーフ１０１、１０２のみを図示）。遮蔽リーフ１０１と遮蔽リーフ１０２とは、図示しない単一のモータにより、Ｘ線管１０から照射されるＸ線の軸線を中心として、互いに近接または離隔するように、同期して逆方向に移動する。同様に、遮蔽リーフ１０３と遮蔽リーフ１０４とは、図示しない単一のモータにより、Ｘ線管１０から照射されるＸ線の軸線を中心として、互いに近接または離隔するように、同期して逆方向に移動する。
【００２６】
一方、第２コリメータ機構９２は、一対の片側絞り用遮蔽リーフ１０５、１０６を備える。片側絞り用遮蔽リーフ１０５と片側絞り用遮蔽リーフ１０６は、後述するモータ６４の駆動とバネ７６の張力により、後述するように、Ｘ線管１０から照射されるＸ線の軸線に対して近接あるいは離隔するよう、互いに独立に移動する。なお、一対の片側絞り用遮蔽リーフ１０５、１０６の往復移動方向は、図１乃至図３に示す天板１３と平行な方向で、かつ、天板１３表面の被検者の体軸方向とは直交する方向（図１および図２における紙面に垂直な方向、図３における左右方向）となっている。
【００２７】
図５および図６は、第２コリメータ機構９２の斜視図である。また、図７は、第２コリメータ機構９２から、一対の片側絞り用遮蔽リーフ１０５、１０６を移動させる機構の要部を取り出した斜視図である。なお、図５は第２コリメータ機構９２の表面側を示し、図６は第２コリメータ機構９２の裏面側を示している。これらの図５、図６、図７においては、一対の片側絞り用遮蔽リーフ１０５、１０６が全開の状態、すなわち、最も離隔した位置に配置された状態を示している。
【００２８】
図５および図６に示すように、この第２コリメータ機構９２は、その両端が、ベース部材６１に固定されたガイドレール６０、６２により支持されて往復移動可能な一対の片側絞り用遮蔽リーフ１０５、１０６を有する。図７に示すように、一方の片側絞り用遮蔽リーフ１０５はフランジ部５１を備えており、このフランジ部５１には、片側絞り用遮蔽リーフ１０５の移動方向と平行な長孔５３が形成されている。同様に、他方の片側絞り用遮蔽リーフ１０６はフランジ部５２を備えており、このフランジ部５２には、片側絞り用遮蔽リーフ１０６の移動方向と平行な長孔５４が形成されている。
【００２９】
また、図７に示すように、この第２コリメータ機構９２は、その両端に一対のボス７１、７２が付設された移動板７０を備える。これらのボス７１、７２のうちの一方のボス７１は、一方の片側絞り用遮蔽リーフ１０５のフランジ部５１に形成された長孔５３と係合した状態で、この長孔５３内を移動可能となっている。同様に、他方のボス７２は、他方の片側絞り用遮蔽リーフ１０６のフランジ部５２に形成された長孔５４と係合した状態で、この長孔５４内を移動可能となっている。
【００３０】
図７に示すように、一対のボス７１、７２間の距離Ｄは、一対の片側絞り用遮蔽リーフ１０５、１０６が最も離隔した位置に配置されたときの長孔５３、５４間の距離に相当する。すなわち、一対の片側絞り用遮蔽リーフ１０５、１０６が全開となったときに、長孔５３の片側絞り用遮蔽リーフ１０６側の端部と長孔５４の片側絞り用遮蔽リーフ１０５側の端部との距離と、ボス７１の片側絞り用遮蔽リーフ１０６側の端部とボス７２の片側絞り用遮蔽リーフ１０５側の端部との距離Ｄが一致している。
【００３１】
なお、一方の片側絞り用遮蔽リーフ１０５のフランジ部５１に形成された長孔５３の長手方向の長さＬ１は、他方の片側絞り用遮蔽リーフ１０６の移動距離以上となっている。同様に、片側絞り用遮蔽リーフ１０６のフランジ部５２に形成された長孔５４の長手方向の長さＬ２は、片側絞り用遮蔽リーフ１０５の移動距離以上となっている。なお、この実施形態においては、一対の片側絞り用遮蔽リーフ１０５、１０６の移動距離は同一であり、一対の長孔５３、５４の長手方向の長さは同一（すなわち、Ｌ１＝Ｌ２）となっている。
【００３２】
図７に示すように、一方の片側絞り用遮蔽リーフ１０５には、ベース部材６１（図５および図６参照）に回転可能に配設された一対の従動プーリ７３、７４に巻回されるワイヤー７５の一端が固定されており、他方の片側絞り用遮蔽リーフ１０６には、このワイヤー７５の他端が固定されている。このワイヤー７５の中央部（従動プーリ７３と従動プーリ７４の間の位置）には、バネ７６が配設されている。
【００３３】
図５および図６に示すように、この第２コリメータ機構９２は、モータ６４の駆動により回転する駆動プーリ６５を備え、ベース部材６１に回転可能に配設された４個の従動プーリ５８、６６、６７、６８を備える。これらの駆動プーリ６５および従動プーリ５８、６６、６７、６８には、ワイヤー６９が巻回されている。なお、ワイヤー６９は、その一部が駆動プーリ６５に固定されており、駆動プーリ６５の回転によって移動する。４個の従動プーリ５８、６６、６７、６８はワイヤー６９に沿うだけであり、ワイヤー６９の方向を変える役割を果たしている。そして、ワイヤー６９は、図６に示す連結部材５９により、移動板７０と連結されている。この移動板７０は、その両端が、ベース部材６１に固定されたガイドレール６０、６３により支持されており、片側絞り用遮蔽リーフ１０５、１０６の移動方向と同じ方向に往復移動する。このため、モータ６４の駆動により駆動プーリ６５を回転させた場合には、ワイヤー６９の移動に伴って移動板７０が移動する。
【００３４】
この第２コリメータ機構９２においては、モータ６４の駆動により移動板７０を、一方の片側絞り用遮蔽リーフ１０５側から他方の片側絞り用遮蔽リーフ１０６側に移動させた場合には、移動板７０に付設された一方のボス７１が長孔５３の端部と係合していることから、片側絞り用遮蔽リーフ１０５が移動板７０とともに、片側絞り用遮蔽リーフ１０６側に移動する。このとき、他方のボス７２は長孔５４内を移動することから、片側絞り用遮蔽リーフ１０６が移動することはない。このため、移動板７０を片側絞り用遮蔽リーフ１０５側から片側絞り用遮蔽リーフ１０６側に移動させることにより、一方の片側絞り用遮蔽リーフ１０５のみを閉口方向に移動させることが可能となる。なお、この状態においては、バネ７６が伸びた状態となる。
【００３５】
一方の片側絞り用遮蔽リーフ１０５が閉じられた状態において、モータ６４の駆動により移動板７０を、片側絞り用遮蔽リーフ１０６側から片側絞り用遮蔽リーフ１０５側に移動させた場合には、バネ７６の作用により、片側絞り用遮蔽リーフ１０５が開口方向に移動する。このときにも、ボス７２は長孔５４内を移動することから、他方の片側絞り用遮蔽リーフ１０６が移動することはない。このため、移動板７０を、片側絞り用遮蔽リーフ１０６側から片側絞り用遮蔽リーフ１０５側に移動させることにより、一方の片側絞り用遮蔽リーフ１０５のみを開口方向に移動させることが可能となる。
【００３６】
一方、再び図５乃至図７に示すような全開状態において、モータ６４の駆動により移動板７０を、一方の片側絞り用遮蔽リーフ１０６側から他方の片側絞り用遮蔽リーフ１０５側に移動させた場合には、移動板７０に付設された一方のボス７２が長孔５４の端部と係合していることから、片側絞り用遮蔽リーフ１０６が移動板７０とともに、片側絞り用遮蔽リーフ１０５側に移動する。このとき、他方のボス７１は長孔５３内を移動することから、片側絞り用遮蔽リーフ１０５が移動することはない。このため、移動板７０を、片側絞り用遮蔽リーフ１０６側から片側絞り用遮蔽リーフ１０５側に移動させることにより、片側絞り用遮蔽リーフ１０６のみを閉口方向に移動させることが可能となる。なお、この状態においても、バネ７６が伸びた状態となる。
【００３７】
また、一方の片側絞り用遮蔽リーフ１０６が閉じられた状態において、モータ６４の駆動により移動板７０を、片側絞り用遮蔽リーフ１０５側から片側絞り用遮蔽リーフ１０６側に移動させた場合には、バネ７６の作用により、片側絞り用遮蔽リーフ１０６が開口方向に移動する。このときにも、ボス７１は長孔５３内を移動することから、他方の片側絞り用遮蔽リーフ１０５が移動することはない。このため、移動板７０を、片側絞り用遮蔽リーフ１０５側から片側絞り用遮蔽リーフ１０６側に移動させることにより、一方の片側絞り用遮蔽リーフ１０６のみを開口方向に移動させることが可能となる。
【００３８】
なお、上述したように、片側絞り用遮蔽リーフ１０５のフランジ部５１に形成された長孔５３の長手方向の長さＬ１と、片側絞り用遮蔽リーフ１０６のフランジ部５２に形成された長孔５４の長手方向の長さＬ２は、片側絞り用遮蔽リーフ１０５、１０６の移動距離以上となっている。このため、片側絞り用遮蔽リーフ１０５、１０６のいずれが移動した場合においても、対の片側絞り用遮蔽リーフ１０５、１０６が移動することを防止できる。
【００３９】
長孔５３の長手方向の長さＬ１と長孔５４の長手方向の長さＬ２が、片側絞り用遮蔽リーフ１０５、１０６の移動距離より短い場合には、片側絞り用遮蔽リーフ１０５、１０６のうちの一方が閉口方向に移動するときに、片側絞り用遮蔽リーフ１０５、１０６の他方が途中から共に移動してしまうことになる。しかしながら、このような構成であっても支障がない場合には、長孔５３の長手方向の長さＬ１または長孔５４の長手方向の長さＬ２を、片側絞り用遮蔽リーフ１０５、１０６の移動距離より短く設定してもよい。
【００４０】
以上のような構成を有するコリメータ部１１においては、第１コリメータ機構９１を使用することにより、図８において一点鎖線で示すＸ線管１０から照射されるＸ線の軸線を中心とした矩形状のＸ線の照射野を形成することができる。そして、第２コリメータ機構９２を使用することにより、矩形状のＸ線の照射野のうちの一辺のみを絞ることが可能となる。このため、必要に応じて、不要なＸ線の被曝を防止する、あるいは、Ｘ線撮影領域の端部のハレーションを防止することが可能となる。
【００４１】
なお、第２コリメータ機構９２においては、上述したように、一対の片側絞り用遮蔽リーフ１０５、１０６の往復移動方向は、図１乃至図３に示す天板１３と平行な方向で、かつ、天板１３表面の被検者の体軸方向とは直交する方向（図１および図２における紙面に垂直な方向、図３における左右方向）となっている。このため、第２コリメータ機構９２においては、被検者の体軸方向と直交する方向に、矩形状のＸ線の照射野のうちの一辺を絞ることが可能となるが、被検者の体軸方向には、矩形状のＸ線の照射野のうちの一辺を絞ることはできない。しかしながら、被検者の体軸方向に、矩形状のＸ線の照射野のうちの一辺を絞るには、Ｘ線管１０を被検者の体軸方向に移動させる方法や、Ｘ線管１０を被検者の体軸方向に回転させてＸ線の照射方向を変更する方法などがある。
【符号の説明】
【００４２】
１０      Ｘ線管
１１      コリメータ部
１２      Ｘ線検出機
１３      天板
１５      スライドアーム
１６      回転機構
１７      主支柱
１８      ベースプレート
２０      圧迫筒機構
３０      踏み台
４０      握り棒
５１      フランジ部
５２      フランジ部
５３      長孔
５４      長孔
５８      従動プーリ
５９      連結部材
６０      ガイドレール
６１      ベース部材
６２      ガイドレール
６３      ガイドレール
６４      モータ
６５      駆動プーリ
６６      従動プーリ
６７      従動プーリ
６８      従動プーリ
６９      ワイヤー
７０      移動板
７１      ボス
７２      ボス
７３      従動プーリ
７４      従動プーリ
７５      ワイヤー
７６      バネ
９１      第１コリメータ機構
９２      第２コリメータ機構
１０１    遮蔽リーフ
１０２    遮蔽リーフ
１０３    遮蔽リーフ
１０４    遮蔽リーフ
１０５    片側絞り用遮蔽リーフ
１０６    片側絞り用遮蔽リーフ
１０８    開口部
１０９    遮蔽リーフ
【図１】
2014083143.tif 000003
【図２】
2014083143.tif 000004
【図３】
2014083143.tif 000005
【図４】
2014083143.tif 000006
【図５】
2014083143.tif 000007
【図６】
2014083143.tif 000008
【図７】
2014083143.tif 000009
【図８】
2014083143.tif 000010
【図９】
2014083143.tif 000011
【図１０】
2014083143.tif 000012